Podtech/llm-jp-corpus-v4-ja_patent huggingface dataset:
(57)【要約】【課題】  トイレットペーパーの引き出しの際に、カバーを持ち上げることなしで容易にペーパーを引き出せるトイレットペーパーホルダー用の弾性緩衝用具を提供する。【解決手段】  折り曲げた薄い金属板の下側部分の上面先端部に折り曲げた細い金属丸棒を取り付け、この用具をホルダーカバーの裏側に取り付けることでカバーとペーパーの間に隙間を作り、ペーパーカット時に生じる金属板の反発力を、金属丸棒を介してペーパーロールの引き出し方向への回転に結びつけ、この結果、カバーを持ち上げることなく、ペーパーの容易な引き出しを可能にさせることを特徴とするトイレットペーパーホルダー用の弾性緩衝用具。【選択図】図１
2009000470.tif 000002
【特許請求の範囲】
【請求項１】
折り曲げた薄い金属板の下側部分の上面先端部に折り曲げた細い金属丸棒を取り付け、この用具をトイレットペーパーホルダーのカバーの裏側に取り付けることでカバーとペーパーの間に隙間を作り、カバーを持ち上げることなく、ペーパーの容易な引き出しを可能にさせることを特徴とするトイレットペーパーホルダー用の弾性緩衝用具。
【請求項２】
ペーパーカット後にカバーから手を離した際、折り曲げた薄い金属板に生じる反発力を利用して、金属丸棒がペーパーロールを引き出し方向に少し回す機能を持つ請求項１のトイレットペーパーホルダー用の弾性緩衝用具。
【請求項３】
請求項１の折り曲げた薄い金属板の内側にバネなどの弾力補強部品を装着した請求項１のトイレットペーパーホルダー用の弾性緩衝用具。
【請求項４】
請求項１の金属丸棒のペーパーとの接触部分にローラー機能を付加させた請求項１のトイレットペーパーホルダー用の弾性緩衝用具。
【請求項５】
請求項１〜４の部材の全部又は一部を他の部材に置き換えた請求項１のトイレットペーパーホルダー用の弾性緩衝用具。
【発明の詳細な説明】
【技術分野】
【０００１】  本発明は、ペーパー引き出しを容易にするため工夫したもので、折り曲げた薄い金属板の下側部分の上面先端部に折り曲げた細い金属丸棒を取り付け、トイレットペーパーホルダーカバーとペーパーの間に設置して使用する、トイレットペーパーホルダー用の弾性緩衝用具に関するものである。
【背景技術】
【０００２】  従来、トイレットペーパー引き出しの時には、カバーを片手で持ち上げながら、もう一方の手でペーパーを引き出していた。
また、ホテルなどでは、ペーパーの先端を折り曲げて、カバーを持ち上げなくてもペーパー引き出しが出来るようになっていることが多いが、２回目以降は、従来どおりのカバー持ち上げが必要となる。
なお、カバー自体の先端近くにペーパーを通す隙間をあけ、その最先端部に切断用の鋸歯状のカッターを取り付けることで、カバーを持ち上げることなくペーパーの先端部分を引き出せる発明が知られ、商品化もされている。
また、本発明と同様の基本着想と異なる機構をもつ発明が既に公開されている。
【特許文献１】  特許公開２００６−１４１９２１号公報
【特許文献２】  特許公開２００５−３１２８７４号公報
【特許文献３】  特許公開平１０−８０３７７号公報
【特許文献４】  特許公開平７−１７１０６７号公報
【特許文献５】  特許公開２００５−１４４１１２号公報
【発明の開示】
【発明が解決しようとする課題】
【０００３】    そのために、次のような問題点があった。
（イ）ペーパー引き出しという動作に入る前段階として、カバー持ち上げという準備動作が常に必要とされていた。
（ロ）カバー自体の先端近くにペーパーを通す隙間をあけられた器具の場合は、ペーパー交換の都度、その隙間に通すという操作が必要であった。
（ハ）また、上記の器具では、切断用の鋸歯状のカッターが上向きに取り付けられているため、ペーパーを引き出す際に鋸歯状の刃が直接指に当たりやすいという欠点があった。
（ニ）さらに、同器具では、鋸歯状の刃が常に上向きで使用者の方に向いているため、使用状況によっては使用者を負傷させる危険性を有し、特に、幼児・学童や高齢者には危険であった。
【課題を解決するための手段】
【０００４】（イ）トイレットペーパーホルダーカバーの裏側に弾力性のある弾性緩衝用具を取り付け、カバーとペーパーの間に隙間を作り、カバーを持ち上げることなく、ペーパーの引き出しが可能となる。
（ロ）次に、従来の操作と同様にカバー表面の手前部分を押し下げ、カバー先端部分でペーパーをカットしてカバーから手を離すと、押し下げられたカバーが上方に跳ね上がる際に金属丸棒を介してペーパーロールに掛かる力により、ペーパーロールが引き出し方向に少し回される。
以上を特徴とするトイレットペーパーホルダーの弾性緩衝用具である。
【発明の効果】
【０００５】（イ）本発明は、カバー持ち上げという準備動作なしで、ペーパーの引き出しが出来る。
（ロ）また、カッター部分を鋸歯状の刃にした場合でも、ペーパー引き出しの際に指が触れる恐れが大幅に減少する。
（ハ）さらに、本発明は、現在一般的なペーパーホルダーの多くに取り付けが可能と考えられる。
（ニ）このため、ホルダー本体を、本発明を組み込んだ新しいホルダーに交換することなく、使用中のホルダーを生かしたまま、経済的に本発明の効果を利用できる。
【発明を実施するための最良の状態】
【０００６】  以下、本発明の実施形態を説明する。
（イ）折り曲げた薄い金属板（１）の下側部分の上面先端部に折り曲げた細い金属丸棒（２）を取り付ける。
（ロ）（イ）で作った用具を、図３のように、トイレットペーパーホルダーのカバー（３）の  裏側に取り付ける。
本発明は、以上の構成よりなっている。
本発明の使い方を説明する。
（ハ）上記の弾性緩衝用具をトイレットペーパーホルダーのカバー（３）の裏側に、図３のように取り付けた後、従来どおりトイレットペーパー（４）のセットと最初のペーパー引き出しを行う。
（ニ）次にペーパーをカットする際は、カバー（３）表面の手前部分を押し下げることで折り曲げた金属板（１）が圧縮され、カバー（３）の先端部分がトイレットペーパー（４）に圧着し、従来どおりカットすることが出来る。
（ホ）次にカバー（３）から手を離すと、カット時に押し下げられたカバー（３）が、金属板（１）の反発力のため上方に跳ね上がる際の反動で、金属丸棒（２）がトイレットペーパー（４）を引き出し方向に少し回転させるため、トイレットペーパー（４）の切断面が少し引き出された状態となり、次のペーパー引き出しが容易になる。
この結果、以降に続く反復操作では、カバー持ち上げという準備動作なしでペーパー引き出しが出来る。
【図面の簡単な説明】
【０００７】
【図１】本発明の斜視図
【図２】本発明の分解斜視図
【図３】本発明の使用状態を示す抜粋部材の側面図
【符号の説明】
【０００８】  １  金属板
２  金属丸棒
３  カバー
４  トイレットペーパー
５  保持部材
【図１】
2009000470.tif 000003
【図２】
2009000470.tif 000004
【図３】
2009000470.tif 000005
(57)【要約】      （修正有）【課題】従来のロールペーパーとペーパーホルダーでは力の弱い老人・体の不自由な人・怪我人・病人・子供等には使いにくく、片手では思う様に使えないので、使い易い大きさのトイレットペーパーを複数枚バラバラにならない様にまとめた物をテイッシュペーパーと同じ使い方の物の提供。【解決手段】複数枚まとめたトイレットペーパーを使い易くする為に、トイレットペーパーを半分づつ重ねて折り畳んだテイッシュペーパー式にした物をテイッシュペーパーと同じ様なボックスに納めて、使い方もテイッシュペーパーと同じで、取出し部より１つ引き出し汚れ落としや水分取り等に使用します。引き出した後も次のペーパーが出ていますので取出し易く、結果ロールペーパーやテイッシュペーパーよりもさらに使い易いトイレットペーパーになりました。【選択図】図１
2009000462.tif 000002
【特許請求の範囲】
【請求項１】
特許出願番号２００６ー２４４８１２・２００６ー３５７４０７のトイレットペーパー以後考案ペーパーとします  を使い易くする為１つの考案ペーパーの半分位に次に取り出す考案ペーパーの半分位を重ねて折り畳んだ物を複数まとめたテイッシュペーパー方式にした物をボックスに納め、考案ペーパーを１つ取り出すと下にある次の考案ペーパーが半分位出てきて次のも取出し易くしたテイッシュペーパー式トイレットペーパーボックス。
【請求項２】
請求項１の考案ペーパーをテイッシュ式にまとめた物を複数個まとめて１つのテイッシュボックス式に納めたトイレットペーパーボックス。
【請求項３】
請求項１の考案ペーパーをテイッシュ式にまとめた物をポケットテイッシュの様な袋に納めたポケットトイレットペーパー。
【発明の詳細な説明】
【技術分野】
【０００１】トイレットペーパー
【背景技術】
【０００２】従来のロールペーパーとペーパホルダーでは、力の弱い老人・体の不自由な人・怪我人・病人・子供等には使いにくく、片手では思うように使えませんでした。【０００３】今現在ではホルダーのふたを持ち上げ、ペーパーの先端を探し、つまみ、引き出し、ある程度の長さを引き出し、カバーを押さえてカット、それを両手で何回か折り畳んで使い、汚れ落としや水分取りに使います。
めんどうでもっと簡単で楽に出来ないか。【０００４】
【特許文献１】  仮名称  考案ペーぱー  特許出願番号２００６ー２４４８１２・２００６ー３５７４０７
【非特許文献１】  ２００６ー東京発明展入選、参考出品
【発明の開示】
【発明が解決しようとする課題】
【０００５】使い易い大きさのトイレットペーパーを複数枚重ねてバラバラにならない様にまとめた物をテイッシュペーパーの様に簡単で使い易くできないか。
【発明が解決するための手段】
【０００６】従来のロールペーパーとペーパーホルダーでは解決できませんので、テイッシュペーパー式の物で１つづつ取出せてそのまま使えるトイレットペーパーを考案しました。
【０００７】１つの考案ペーパーの半分位に次に取り出す考案ペーパーの半分位を重ねて折畳んだテイッシュペーパー式にした物をボックスに納め、１つ取り出すと次が半分位でており使い易くしたトイレットペーパーボックス。
【０００８】テイッシュ式まとめた物を複数個１つのボックスに納めた物にするとさらに使い易い物になります。
【０００９】全くテイッシュペーパーと同じ使い方で持ち運びも良い、トイレットペーパーボックス。
【発明の効果】
【００１０】  本考案のボックスから考案ペーパーを１つ取出し汚れ落としや水分取りにそのまま使え簡単便利、大変楽です。
【００１１】テイッシュペーパーと同じ使い方のトイレットペーパーなので、力の弱い老人・体の不自由な人・怪我人・病人・子供等にとても使い易いトイレットペーパーボックス。
【図面の簡単な説明】
【図１】  請求項１  透視斜面図
【図２】  請求項２  透視斜面図
【図３】  請求項３  透視斜面図
【図１】
2009000462.tif 000003
【図２】
2009000462.tif 000004
【図３】
2009000462.tif 000005
(57)【要約】【課題】頬を上げる為には手を頬に当てて押し上げるか、頬を押し上げた状態にして皮膚が戻らないよう粘着テープ等を貼り付けるかの二通りの方法しかありません、このような方法を用いなくても頬を押し上げることができ、且つ、押し上げの強弱も可能となる器具。【解決手段】耳に掛ける具と頬当てを、頬当てを押し上げる具でつなぎ、これを両耳用に一対とする、又、頬当てに下顎に掛ける為の紐を取り付ける、紐は下顎の上部と下部に掛けられるように二つの円弧にする、そして下顎の上部の紐にストッパーを取り付け、ストッパーで紐を張ったり緩めたり調節することができる、その調節により頬の押し上げの強弱が可能となる。【選択図】図１
2009000467.tif 000002
【特許請求の範囲】
【請求項１】
耳に掛ける具（１）と頬当て（３）を、頬当てを押し上げる具（２）でつなぐ、これを両耳用に一対とする。頬当てに下顎に掛ける紐（４）を取り付ける、紐は下顎の上部に掛ける紐（５）と下部に掛ける紐（６）があり下顎で二つに分かれる、又、下顎の上部の紐にストッパー（７）を取り付けた頬押し上げ器である。なお頬当てに空気の流通の為穴を開けても良い。
【発明の詳細な説明】
【技術分野】
【０００１】  この発明は、頬を押し上げることのできる器具に関するものである。
【背景技術】
【０００２】  従来、頬を押し上げる為の器具は無かった。
【発明の開示】
【発明が解決しようとする課題】
【０００３】  頬を押し上げる為には手で押し上げるか、或いは押し上げた状態にして粘着テープなどを貼り固定させる方法しか無かった。手で押し上げていては手の自由を妨げ他のことが何もできなくなる、又、粘着テープの粘着力では剥がれやすく、双方共に長時間の使用には対応できない。本発明は、この欠点を無くし、手や粘着テープを使わなくても頬を押し上げることができ、又、頬を押し上げる強弱も可能とする器具である。
【課題を解決するための手段】
【０００４】  耳に掛ける具の両端に、ゴム等のように伸ばすと元に戻ろうとする性質のものを付ける、次いで布やビニール系の頬当てを取り付ける、これを両耳用に一対とする、そして頬当てに下顎に掛ける紐を付ける、紐は下顎の上部と下部に掛けられるように下顎で円弧を二つにする、又、下顎の上部の紐にストッパーを取り付け、紐の長さを調節して頬の押し上げの強弱を図る。
本発明はこのような構成からなる頬を押し上げる器具である。
【発明の効果】
【０００５】  本発明はこのような構成なので、手を使って手の自由を妨げることも無く、且つ、粘着テープ等のように剥れることがないので長時間頬を押し上げることが出来る。
【発明を実施するための最良の形態】
【０００６】  以下、本案の実施の形態について説明する。
（イ）耳に掛ける具と頬当てを、頬当てを押し上げる具でつなぎ、両耳用に一対とする。
（ロ）頬当てに、下顎に掛ける紐を取り付ける、紐は下顎の上部と下部に掛けられるように円弧を二つにする。
（ハ）下顎の上部の紐に、紐を張ったり緩めたりする為のストッパーを付ける。
【図面の簡単な説明】
【０００７】
【図１】本発明を平行にした正面図である。
【図２】本発明を横にした正面図である。
【符号の説明】
【０００８】１  耳に掛ける具        ２  頬当てを押し上げる具      ３  頬当て
４  下顎に掛ける紐      ５  下顎の上部に掛ける紐      ６  下顎の下部に掛ける紐
７  ストッパー
【図１】
2009000467.tif 000003
【図２】
2009000467.tif 000004
(57)【要約】      （修正有）【課題】洗濯後のフード付衣類のフードを型崩れせず簡単、且つスムーズに干すことが出来るフード付衣類ハンガー補助具を提供する。【解決手段】リング状本体枠４とその延長線に伸びた支持部３を一体化し、リング状本体枠４の左右に広げた顔部分５と６を設けたことで、フード付衣類のフードの形状を保ち乾燥しやすい形成にし、身頃を掛けるハンガーをリング状本体枠４の下部に、ハンガーフック掛け部７と８を設けることでさらに一体化するよう形成させ、竿に掛けるためのフック支持部１と２を接続したフック体を、支持部３に連結させる極めてシンプルな構造を特徴とする。【選択図】図１
2009000466.tif 000002
【特許請求の範囲】
【請求項１】
竿に掛けるハンガーフック体の下にある支持部分を、より前方までフードが被せられるようにその支持部分を、リング状本体枠に沿ってカーブと隙間を形成した特徴を持ったフード付衣類ハンガー補助具です。
【請求項２】
請求項１記載のフード付衣類ハンガー補助具において、フード付衣類のフードをスムーズに被せる為に、本体枠がリング状に形成された特徴を持ったフード付衣類ハンガー補助具です。
【請求項３】
請求項１請求項２記載のフード付衣類ハンガー補助具において、顔部分を左右に広げて立体になるよう形成された特徴を持ったフード付衣類用ハンガー補助具です。
【請求項４】
請求項１請求項２請求項３記載のフード付衣類ハンガー補助具において、リング状本体枠下部にハンガー掛け部を２箇所設け一体化することにより、身頃のハンガーを掛けられるようにした特徴を持ったフード付衣類ハンガー補助具です。
【発明の詳細な説明】
【技術分野】
【０００１】  本発明はフード付衣類のフード部が簡単に干せて型崩れしないように乾かすためのフード付衣類ハンガー補助具に関する発明です。
【背景技術】
【０００２】  従来から衣類を干す道具として衣類ハンガーが広く使われています。
【発明の開示】
【発明が解決しようとする課題】
【０００３】  しかし従来のハンガーはフードが掛けられず垂れ下がったまま干すのでなかなか乾かず非常に不便である。本発明はフード部分の乾きが悪かったという不具合を解決することを課題とする。
【課題を解決するための手段】
【０００４】  この課題を解決するための請求項１の発明は、竿に掛けるフック体より前方までフーを被せるために、支持部分を設けたことを特徴とするフード付衣類ハンガー補助具である。これによりフードの先端が型崩れせず乾くのである。【０００５】  請求項２の発明は、フードを被せる時はリング状本体枠の後ろから滑らせるように被せ、請求項１の発明の部分までフードの先を入れることにより、型崩れを防ぎスムーズに干すことが出来るのである。【０００６】  請求項３の発明は、請求項２の発明部分のリング状本体枠にフードの顔部分を左右に広げた構造となり、フードの顔部分が広がるように干せて乾きやすくなります。【０００７】  請求項４の発明は、リング状本体枠下部にハンガー掛け部を２箇所を設け一体化することで、身頃のハンガーを掛けやすくしました。
【発明の効果】
【０００８】  このフード付衣類ハンガー補助具を使うことにより、  フード部分が被せやすく型崩れしにくくなります。またフードを立体的に干すことによりフード付衣類内部の通気も良く、優れた特徴を持っています。
【発明を実施するための最良の形態】
【０００９】  本発明に係るフード付衣類ハンガー補助具は、図に示すとおり竿に掛けるフック体より前方の支持部までフードの先端がリング状本体枠に沿って被る構造をしています。またフードの顔部分は左右に広がった構造をしています。素材はプラスチックまたはステンレスで形成することが望ましく思われます。
【産業上の利用可能性】  本発明に係るフード付衣類ハンガー補助具は工業的に量産する事が可能であるため、産業上の利用可能性を有する。
【図面の簡単な説明】
【００１０】
【図１】  図は斜め前から見た図を描きました。
【符号の説明】
【０００１０】  １竿に掛けるフックである。
２竿に掛けるフックを回転させることができる部分である。
３リング状本体枠に沿ってカーブさせ隙間を作ったフック支持部である。
４フードを後方より被せるリング状本体枠である。
５フードを被せた時に  フードの左側を広げた顔部分である。
６フードを被せた時に  フードの右側を広げた顔部分である。
７身頃をかけたハンガーを引っ掛けるハンガー掛け部である。
８身頃をかけたハンガーを掛けるハンガー掛け部である。
【図１】
2009000466.tif 000003
(57)【要約】【課題】    衣類のポケットに鍵などの小物を入れた場合、紛失する場合があるという不都合を解決すること。【解決手段】    甲の部分にポケットを設けたポケット付履物４などにより、この課題を解決する。【選択図】図１
2009000486.tif 000002
【特許請求の範囲】
【請求項１】
甲の部分にポケットを設けたことを特徴とする履物。
【発明の詳細な説明】
【技術分野】
【０００１】  本発明は、履物に関するものであり、履物の甲の部分にポケットを設けて、ポケットの中に、小物などを収納できるようにしたものである。
【背景技術】
【０００２】  従来から、履物は、ただ履くだけのものであった。
【発明の開示】
【発明が解決しようとする課題】
【０００３】    しかし、従来のような履物では、小物を入れるところがなく、非常に不便である。
本発明は、このような、小物を入れるところがないという不都合を解決することを課題とする。
【課題を解決するための手段】
【０００４】    この課題を解決するための請求項１の発明は、甲の部分にポケットを設けたことを特徴とする、ポケット付履物である。鍵などの小物を収納できる。
【発明の効果】
【０００５】    本発明により、外出するときなどに、小物を収納することができる。
【発明を実施するための最良の形態】
【０００６】  図１は、甲の部分にポケットを設けたことを特徴とする、ポケット付履物の平面図である。【０００７】  図２は、鍵などの小物を、甲の部分に設けたポケットに収納した場合の斜視図である。【０００８】  これらポケットの材料は、布、ゴムバンド、ビニールなどの通常のものでよい。また、ポケットの形は、四角、三角、ハート形としてもよい。【０００９】  本発明に係るポケット付履物は、工業的に量産する事が可能であるため、産業上の利用可能性を有する。
【図面の簡単な説明】
【００１０】
【図１】  甲の部分にポケットを設けたポケット付履物の平面図である。
【図２】  本発明の使用状態を示す斜視図である。
【符号の説明】
【００１１】  １        甲の部分に設けたポケット
２        ポケットの窓
３        ポケットの口
４        ポケットを設けた履物
５        ポケットに収納した小物の鍵
【図１】
2009000486.tif 000003
【図２】
2009000486.tif 000004
(57)【要約】【課題】歯間の様々な形状の隙間に合わせ、取りきれなかった歯垢を簡単に、且つ安全に除去できる可撓性を有する薄板状のプラスチック板ブラシと軸状の爪楊枝を合わせた、歯の清掃道具を提供する。【解決手段】長方形の可撓性を有する、薄板状のプラスチック板ブラシの先端の部分を扁平にし、中心に向け板厚に施した歯間板ブラシと軸状の爪楊枝を一体化させたことにより、歯の隙間の形状に合わせて効率よく安全に歯垢を除去できる歯間板ブラシ付き楊枝。【選択図】図１
2009000489.tif 000002
【特許請求の範囲】
【請求項１】
先端が扁平な部分と中心に向かって板厚に施した部分を設けた、可撓性を有するプラスチック板と軸状の楊枝部分を一体化させ、歯ブラシ又爪楊枝等で取りきれなかった歯垢を効率よく、安全に取り除くことができる歯の清掃道具。
【発明の詳細な説明】
【技術分野】
【０００１】  本発明は、歯間及び歯表または歯肉を傷つけず、歯間の隙間の形状に合わせた歯垢を除去できるようにした。また歯間板ブラシと楊枝を一体化させたことにより、本発明一本で多様な用途に対応できるものにした。
【技術背景】
【０００２】  従来、歯間を掃除する道具として、先端を尖頭した爪楊枝や、軸の先端周辺を植毛した歯間ブラシ、又は細糸利用した糸楊枝がある。更には、薄板状を差し込んで掃除する板楊枝が知られている。（特許文献１）
【特許文献１】実用新案登録第３０６２２３５号
【発明が開発しようとする課題】
【０００３】  その為、次のような問題点があった。
（イ）爪楊枝は先端部位が軸状で先端だけを尖角しているため、歯間に入る部分は先端だ      けになり完全に歯間に挟まった屑の除去が難しい。また、爪楊枝は先端が折れたり      することがある。
（ロ）糸楊枝は、歯間に入れ押し上げたり、押し下げたりの作業であり歯垢を余計に歯間      腔に押しやることもあった。
（ハ）薄板状の歯間ブラシは、先端より終始同厚のため様々な歯間の隙間幅に対応できな      い。
（ニ）さらに様々な形状の歯間に応じて歯垢を除去するためには、複数の道具が必要であ      った。
本発明は以上の問題点を解決しようとするものである。
【課題を解決するための手段】
【０００４】  本発明は、先端より徐々に板厚になっていく、可撓性を有するプラスチック等の薄い板部分と、同素材の爪楊枝部分とを組み合わせたものである。本発明を使用するときは、楊枝部分では取りきれない歯間の隙間に、可撓性を有するプラスチック等の薄い板部分を先端の扁平した部分から挿入し、徐々に板厚になっていく部分を利用してあらゆる隙間幅に対応できるようにした。
【発明の効果】
【０００５】  本発明は、先端より徐々に板厚になっていく、可撓性を有するプラスチック等の薄い板部分と、同素材の爪楊枝部を一体化させたことにより、様々な歯間の形状に合わせて歯垢を除去できる。また可撓性を有するプラスチック等の薄い板は、先端の扁平な部分を歯間に差し込むため、歯または歯茎に無理な負担がかかりにくいので、歯の形状を崩すことなくスムーズに且つ安全に歯垢を除去できる。さらに、先端より徐々に板厚になっている薄い板部は、必要とする歯間の隙間幅に応じられる。
爪楊枝部と薄板部が一体化することによって複数の道具を使う必要がなく、本発明一体で多様な用途に応じることができ、携帯にも便利である。
また、衛生面を考慮してそれぞれを一包化し、使用する際は袋を開封印から開け、その袋を指で押さえる部分のカバーとして応用することにより、清潔に使用できる。
【発明を実施するための最良の形態】
【０００６】  以下、本発明の実施の形態を説明する。
（イ）  本体（１）は可撓性を有するプラスチック等の板の先端部分（２）を扁平にして      、徐々に中心に向かって板厚（３）に施した部分と、軸状の爪楊枝（４）を連結さ      せ一体化したものから成り立っている。
（ロ）  本体（１）を一包化（５）し、袋の上部端（６）を中心印（７）まで矢印の方向      に剥く。矢印の方向に剥いだ袋を指で押さえるときのカバー（８）として使用する      。
本発明は、以上の構造からなっている。
本発明を使用するときは、本体（１）を歯（１０）の歯間部（９）に入れ、必要におうじて、可撓性を有するプラスチック等の板の先端部分（２）を使用したり、爪楊枝（４）を使用したりする。
【図面の簡単な説明】
【０００７】
【図１】本発明の正面図
【図２】本発明を真横から見た斜視図
【図３】本発明を収納袋に収めた状態の斜視図
【図４】収納袋の剥がし方の斜視図
【図５】本発明の使用状態を表す斜視図
【符号の説明】
【０００８】    １    本体
２    先端部分（扁平部分）
３    板厚部分
４    爪楊枝
５    一包化の状態
６    袋の上端部
７    袋の中心線
８    カバー
９    歯間部
１０  歯
【図１】
2009000489.tif 000003
【図２】
2009000489.tif 000004
【図３】
2009000489.tif 000005
【図４】
2009000489.tif 000006
【図５】
2009000489.tif 000007
(57)【要約】【課題】  従来の全歯周歯ブラシは、その有効性は認められつゝも植毛基材部分を２分割、又は３分割して穿孔成型し、それを一平面状に竝べ植毛したものを組立て、溶着又は溶着したものが主で、コスト高になるのと、ブラシ部分の巾が広い為に普及し得なかった。【解決手段】  ブラシの巾を狭くする為に、植毛基材を一面とし、外側列の植毛は内側に傾くようにして、ブリッスルの側面でも磨掃し得るようにした。又、外側列の植毛を内側に傾ける為に植毛基材の材質をゴム状の軟質プラスチックとした。【選択図】図９
2009000483.tif 000002
【特許請求の範囲】
【請求項１】
手磨きの歯ブラシ、及び軸方向に往復運動又は振動する電動歯ブラシにおいて、その植毛基材部位をゴム状軟質プラスチックで成型することを特徴とする歯ブラシの製造法。
【発明の詳細な説明】
【技術分野】
【０００１】  本発明は、日常大多数の人が使用する歯ブラシのうち、歯列の噛み合せ面と、唇側、舌側の三面を同時に磨くことができる、所謂全歯周歯ブラシに関する。
【背景技術】
【０００２】  従来から、全歯周歯ブラシに関する特許、実用新案の出願は多数あるが、その大部分は三面又は二面のなすＵ字、Ｖ字の内面に植毛するものである。然し、現在使われている自動植毛機は、平板状の植毛基材に垂直に穿孔した下孔に従って、植毛する以外方法がないので、全歯周歯ブラシを製作する為には植毛基材を２分割、又は３分割し、これをブラシの軸方向に対し一平面状に並べて植毛した後に、何らかの方法でＵ字又はＶ字型に組立てるか、曲げて形を整える以外に方法は無かった。以下、文献について例を挙げる。【０００３】  歯ブラシの柄の先端に主植毛基材を、その両脇に副植毛基材を設け、弾性屈曲体のヒンヂでほゞ直角に連繋し、一平面状に展開して植毛し、箱状に戻して使用する全歯周歯ブラシ。（文献１  特開平９−１８２２６２４号）【０００４】  溶剤に溶け易いＡＢＳ樹脂で、歯ブラシの柄の先端両脇に夫々極めて薄い底部を有するＶ字溝を隔てゝ、二つの副植毛基材を設け、これを一平面に並べ、植毛した後にＶ字溝の両サイドを寄せ合せ、溶剤を注入し、溶着することを特徴とする全歯周歯ブラシ。（文献２  特許出願公告昭６３−５０３２７６）【０００５】  主植毛基材と両脇の副植毛基材を弾性体で繋ぎ、植毛後に制動部材を以て一定形状を保つようにした歯ブラシ。（文献３  特開２００１−３４６６３３）【０００６】  柄の先端付近を二股に分岐させ、その先端に植毛基材部を設け、植毛後に逆ハ字状に対向させる歯ブラシ。（文献４  実用新案３０６０９２７）【０００７】  柄の先端に主植毛基材を、その両脇に副植毛基材を設け、相互に薄い連繋帯を以て屈曲可能に成型し、主植毛基材と夫々の副植毛基材とのなす角を１５０°位とし、ゴム状プラスチックで空隙部を充填成型した後、副植毛基材が主植毛基材と一平面になる治具に取り付けて植毛する歯ブラシの製法。（文献５  実用新案３１２６０３２）【０００８】  上述の文献のうち、上市されているものもあるが、いずれも植毛基材部分の巾が２５粍以上となり、見た目にも使用時にも巾が広すぎて違和感がある。
【発明の開示】
【発明が解決しようとする課題】
【０００９】  前述の全歯周歯ブラシの植毛基材の形、巾を従来の歯ブラシと同じ１１乃至１３粍程度とし、全歯周歯ブラシの機能を備えることを第１の課題とする。【００１０】  組立に人手を要するなど、二次加工が必要で、コスト高となっていることも普及し得ない要因となっていると思われるので、総て自動機で作業し得ることが望ましい。【００１１】  植毛基材の巾を狭小とするには、２面又は３面の植毛基材を１面とし、全歯周歯ブラシとしての機能を落さない為には、両外側列の植毛を内側に傾斜させなければならない。その為には植毛孔の穿孔を斜めにしなければならず、３０個位は必要な植毛孔は密度が高く、両外側列の穿孔は奥が外側に向かっているので、成型時に穿孔は不可能であることが分った。
斜め孔の穿孔を、自動ボール盤を新たに製作し作業するにしても、作業は成型と２工程となり、効率も悪く、コスト高となる。
【課題を解決する為の手段】
【００１２】  射出成型機で密集した斜め穿孔は、通常の成型法では不可能との金型業者の回答であったが、柄の部分は硬質プラスチックとし、植毛基材部分をこれと相熔性のあるゴム状軟質プラスチックとすれば、無理抜きが可能で、射出成型のみで所望の全歯周歯ブラシの素材が得られることを、研究試作の結果判明した。
【発明の効果】
【００１３】  上述したように、植毛基材に傾斜した植毛孔を穿つことは、自動穿孔機を新たに造って穿孔するにしても一工程増すことになり、当然に価格に影響するが、本方法によれば２軸成型機を用いることにより一工程で済むので、金型代の増額分と成型費用が僅かな増加のみで従前の自動ボール盤による穿孔よりも低廉で製作できる。
【００１４】  歯磨の際、例えば下顎の歯、特に奥歯を磨く際に上顎の歯が植毛基材の裏側に当り、不快感があったが、植毛基材にゴム状軟質プラスチックを使用することにより、衝撃とそれに伴う音は緩和される。
【発明を実施する為の最良の形態】
【００１５】  以下、本発明実施のための最良の形態を、図面について順を追って説明する。
【００１６】  本発明は、硬質プラスチックと相熔性のあるゴム状軟質プラスチックを用いて成型し、歯ブラシの素材を得ることを発明の骨子としているので、二軸射出成型機に用いて成型するのが至便である。
【００１７】  先ず、図１〜図３に示すように、ポリプロピレンによって歯ブラシの本体骨格である把持部（図示しない）、把持部から連なるリーチ部、植毛基材部をポリプロピレンで成型し、次いで図４〜図６に示すように、リーチ部から植毛基材部にかけてポリプロピレンと相熔性のあるＥＰＯＭポリプロピレンで二次成型し、植毛孔を一体的に形成する。
【００１８】  植毛は、先ず中央列を植毛し、５〜６粍にバリカンで刈り、外側各列を順次植毛すれば歯ブラシは完成する。
図７〜図９は植毛後の本歯ブラシを示す。
【図面の簡単な説明】
【００１９】
【図１】  本発明実施形態を示す一次射出成型後の正面図
【図２】  同平面図
【図３】  同把持部側から見た側面図
【図４】  本発明実施形態を示す二次射出成型後の正面図
【図５】  同平面図
【図６】  同把持部側から見た側面図
【図７】  本発明実施形態を示す植毛後の完成正面図
【図８】  同平面図
【図９】  同把持部側から見た側面図
【符号の説明】
【００１９】３  植毛基材補強芯材
４  ゴム状プラスチック製植毛基材
５  外側列植毛孔
６  外側列植毛
【図１】
2009000483.tif 000003
【図２】
2009000483.tif 000004
【図３】
2009000483.tif 000005
【図４】
2009000483.tif 000006
【図５】
2009000483.tif 000007
【図６】
2009000483.tif 000008
【図７】
2009000483.tif 000009
【図８】
2009000483.tif 000010
【図９】
2009000483.tif 000011
(57)【要約】【課題】  包丁の手元に近いの刃の部分は鋭角になっていないため、じゃがいもの芽以外の部分まで取り除くことになり、また包丁の取扱いは非常に困難で、特に小さいじゃがいもは安全上も危険であった。【解決手段】  管に一体化されたハンドルと、管の内部を往復動する棒体を備え、上記ハンドルと管と共に挿入固着されたピンを、上記棒体の長穴に装着しており、じゃがいもの芽に管を差込むと、差し込み深さが制限される。またじゃがいもの芽に管を差込み、その位置でハンドルを回して管の先端部のじゃがいもの芽を切断するために管の内部に数箇所の突起部を備え、管の内部のじゃがいもの芽を押し出すために上記棒体に押し部を備えたものである。【選択図】図１
2009000482.tif 000002
【特許請求の範囲】
【請求項１】
管に一体化されたハンドルと、管の内部を往復動する棒体を備えたことを特徴とするじゃがいもの芽とり器。
【請求項２】
上記管または上記ハンドルまたはハンドルと管と共に挿入固着されたピンを、上記棒体の長穴に装着したことを特徴とする請求項１に記載のじゃがいもの芽とり器。
【請求項３】
上記管の内部に突起部を備え、管の内部を往復動する上記棒体の相対する位置に、突起部を収める溝を設けたことを特徴とする請求項１に記載のじゃがいもの芽とり器。
【請求項４】
上記ハンドルの座ぐり面と棒体の押し部裏面の間に、ばねを装着したことを特徴とする請求項１に記載のじゃがいもの芽とり器。
【発明の詳細な説明】
【技術分野】
【０００１】  本発明は、じゃがいもの芽を取り除くためのじゃがいもの芽とり器に関するものである。
【背景技術】
【０００２】  従来、じゃがいもの芽は包丁の手元刃の部分を突き刺して、回すようにして取り除いていた。
【発明の開示】
【発明が解決しようとする課題】
【０００３】  従来の方法では、次のような欠点があった。
（イ）包丁の手元に近いの刃の部分は鋭角になっていないため、じゃがいもの芽以外の部分まで取り除いてしまっていた。
（ロ）上記包丁の取扱いは非常に困難で、特に小さいじゃがいもは、安全上も危険であった。
本発明は、これらの欠点を解決するためになされたものである。
【課題を解決するための手段】
【０００４】  本発明に係わるじゃがいもの芽とり器は、管に一体化されたハンドルと、管の内部を往復動する棒体を備えたものである。上記管または上記ハンドルまたはハンドルと管と共に挿入固着されたピンを、上記棒体の長穴に装着しており、じゃがいもの芽に管を差込むと、棒体の長穴とその長穴に装着されたピンで差し込み深さが制限され、棒体の往復動の行程を制限している。またじゃがいもの芽に管を差込み、その位置でハンドルを回すと管の先端部のじゃがいもの芽を切断するために、管の内部に数箇所の突起部を備え、管の内部のじゃがいもの芽を押し出すための押し部を棒体に備えたものである。
【発明の効果】
【０００５】  （イ）本発明は、管と一体化されたハンドルを持って管をじゃがいもの芽に差し込むため、安全上危険な包丁を使用することなく、容易にじゃがいもの芽を取り除くことができる。
（ロ）本発明によれば、上記管の内部を往復動する棒体との長穴に、管または上記ハンドルまたはハンドルと管と共に挿入固着されたピンが装着されており、棒体の往復動の行程を制限しているため、じゃがいもに管を差し込みすぎることがない。
（ハ）じゃがいもに上記管を差し込んだ状態で、ハンドルを軽く回すだけで管の内部に設けられた数箇所の突起部で、管の先端部のじゃがいもの芽の付け根を容易に切断することができる。
（二）管の中に納まっているじゃがいもの芽は、棒体の押し部を指で軽く押すことで取出すことが可能である。
（ホ）ハンドルの座ぐり面と棒体の押し部裏面にばねを装着しているため、押し部を指で軽く押したり離したりするだけで、本発明のじゃがいもの芽取り器を水道水を流しながら容易に洗うことができる。
【発明を実施するための最良の形態】
【０００６】  以下、本発明の実施の形態を図１から図５について説明する。
管（１）はハンドル（２）に装着一体化されている。管（１）の先端には内部に突起部（１ａ）が設けられており、図４のとおり内側に曲げて構成されている。管（１）には棒体（３）が挿入されており、棒体（３）の先端部には上記管（１）の先端の突起部（１ａ）が収まるように溝（３ａ）が設けられている。また管（１）とハンドル（２）に装着一体化された固着部分にピン（４）が挿入されており棒体（３）に設けられた長穴（３ｂ）に往復自由に装着されている。棒体（３）の握り手側には押し部（３ｃ）が一体構成されており、その押し部裏面（３ｄ）とハンドル（２）の座ぐり面（２ａ）の間にばね（５）を設けている。【０００７】  次に使用方法について説明する。
本発明のハンドル（２）を手に持って、管（１）の先端をじゃがいも（６）の芽に差し込む。そのとき棒体（３）の長穴（３ｂ）にピン（４）が挿入されているため図５に示すように所定の深さ（７）で止まることになる。次にハンドル（２）を回すと管（１）に設けられた突起部（１ａ）が管（１）の中に入ったじゃがいもの芽の付け根（８）から切断する。そのままじゃがいも（６）から管（１）を引き抜くと管（１）の中にじゃがいもの芽が入った状態になっている。次に棒体（３）に設けられた押し部（３ｃ）を指で押すと、管（１）の中に入っているじゃがいもの芽が出てくる。指を離すと押し部裏面（３ｄ）とハンドル（２）の座ぐり面（２ａ）の間に挿入されているばね（５）の作用で棒体（３）は管（１）の奥に戻る。【０００８】  本発明のじゃがいもの芽とり器の管（１）の内部を洗浄するときは、洗いまたは濯ぎにおいても、上記ばね（５）の作用で元に戻るため、押し部（３ｃ）を押したり離したりするのみでよい。
【図面の簡単な説明】
【０００９】
【図１】本発明の一部外観を示す断面図
【図２】本発明の平面図
【図３】本発明の先端部の外観拡大図
【図４】本発明の先端部を下方から見た断面拡大図
【図５】本発明の先端部をじゃがいもの芽に差し込んだ状態図
【符号の説明】
【００１０】  １    管
１ａ  突起部
２    ハンドル
２ａ  座ぐり面
３    棒体
３ａ  溝
３ｂ  長穴
３ｃ  押し部
３ｄ  押し部裏面
４    ピン
５    ばね
６    じゃがいも
７    所定の深さ
８    芽の付け根
【図１】
2009000482.tif 000003
【図２】
2009000482.tif 000004
【図３】
2009000482.tif 000005
【図４】
2009000482.tif 000006
【図５】
2009000482.tif 000007
(57)【要約】【課題】    しゃもじは電子ジャー等に入れっぱなしにしておくか、しゃもじ立てやしゃもじ収納容器に入れたり、綺麗な皿や茶碗等にご飯を掬う部分を乗せて置いていた。【解決手段】    しゃもじを形成しているご飯を掬う部分（２）と手で握り締める柄部分（３）の境目（９）の表側（５）に、突起部分（４）を設けておき、重量比が、該突起部分（４）を境にして柄部分（３）側が、ご飯を掬う部分（２）よりも大きく形成されているため、ご飯を掬う部分（２）の表側（５）を下向きにしてテーブル（７）の上等に置くだけで、ご飯の掬う部分（２）が全くテーブル（７）の面につかずに、簡単に、しかも衛生的に置く事が出来る。【選択図】図１
2009000481.tif 000002
【特許請求の範囲】
【請求項１】
ご飯を掬う部分（２）と手で握り締める柄部分（３）の境目（９）の表側（５）に予め突起部分（４）が設けられており、重量比が、該突起部分（４）を境にして柄部分（３）側がご飯を掬う部分（２）よりも大きくなるように形成された事を特徴とするどこにでも置けるしゃもじ（１）。
【請求項２】
手で握り締める柄部分（３）に予め金属又は磁石がインサート成形されている事を特徴とする請求項１記載のどこにでも置けるしゃもじ（１）。
【発明の詳細な説明】
【技術分野】
【０００１】  本発明は、しゃもじに関し、しゃもじ立てが不必要でテーブルの上等、どこにでも置けるしゃもじに関する。
【背景技術】
【０００２】  従来のしゃもじは、電子ジャーやおひつ等に入れっぱなしにしておくか、ジャー側面等に設けられたしゃもじ立てに入れるか、テーブルの上等に置いたしゃもじ入れに収納している。
【発明の開示】
【発明が解決しようとする課題】
【０００３】  しかしながら、電子ジャーに入れっぱなしにしておくと、しゃもじが熱くなり、ご飯を掬う時につかみづらかったり、ジャー側面のしゃもじ立てに入れるにしても柄の部分がスムーズに入らない場合があった。
又、テーブルの上等に置いたしゃもじ入れに収納して置くとしても、しゃもじ入れを常に清潔にしなくてはならず、洗い物が増えるという手間があった。
そのため、たいていの場合は、綺麗な皿や茶碗等にしゃもじのご飯を掬う部分を乗せて置いているのが現状であったが、いちいち皿や茶碗等を用意せねばならず、手間のかかるものであった。【０００４】  一方で、ご飯を掬う部分と手で握り締める柄部分の境目の裏側にご飯を掬う部分の湾曲よりも大きく飛び出したツメ部分を形成しているような、いわゆる箸置きのようなものが一体成形されたしゃもじが知られている。しかしながらこのしゃもじのツメ部はかなり大きく成形されているため、実際ご飯を掬う時、ご飯を入れている釜のフチにツメが当ったり、洗う時にツメの根元が綺麗に洗う事が出来ないため不衛生なものであった。
【課題を解決するための手段】
【０００５】  上記課題を解決するために本発明は、ご飯を掬う部分（２）と手で握り締める柄部分（３）の境目（９）の表側（５）に予め突起部分（４）が設けられており、重量比が、該突起部分（４）を境にして柄部分（３）側がご飯を掬う部分（２）よりも大きくなるように形成しておく。
本発明は以上のような構成からなるどこにでも置けるしゃもじである。
【発明の効果】
【０００６】  本発明のどこにでも置けるしゃもじは、以上のような構成であるため、ご飯を掬う部分の表側を下向きにしてテーブルの上等に置くだけでご飯の掬う部分は全く、そして柄部分は柄の表側接地部分と突起部分の点  のみしかテーブルにつかないため、皿や茶碗等をいちいち用意して置かなくても良く、ご飯を掬う部分が空中に浮いた状態となるため、衛生的にも優れたものとなる。
【発明を実施するための最良の形態】
【０００７】  本発明で言うしゃもじとは、樹脂製、金属製、木製等で製造出来るが、大量に生産するためには樹脂製が好ましい。
なお、ご飯を掬う部分、柄部分更には境目に設けられた突起部分の形状等には特に限定されるものではない。
ご飯を掬う部分にご飯がひっつきにくくするためのイボ形状が形成されたり、樹脂であれば、フッ素や抗菌剤入りの樹脂でひっつきにくくするための技術が用いられて製造されるのが好ましい。
重量比が、突起部分を境にして柄部分側がご飯を掬う部分側よりも大きくなるように形成されるためであれば、成形時に柄の部分に金属又は磁石を入れてインサート成形しても良く、特に磁石がインサート成形されれば、金属製の冷蔵庫やキッチン周りのものに貼り付けて置く事が出来るものとなる。
【実施例】
【０００８】  以下、本発明の一実施例を、図１及び図２で説明する。【０００９】  ご飯を掬う部分（２）と手で握り締める柄部分（３）の境目（９）の表側（５）に予めＵ字型の突起部分（４）を柄部分（３）より突起して形成しておく。
その際、該突起部分（４）を境にして、柄部分（３）がご飯を掬う部分（２）よりも、重量比として大きくなるように形成する。
このようにして構成されたしゃもじ（１）をテーブル（７）面に突起部分（４）及び柄の表側接地部分（８）が点で接するように置く事でご飯を掬う部分（２）がテーブル（７）の面にくっつかずに空中に浮いたまま置く事が出来る。
【産業上の利用の可能性】
【００１０】  しゃもじ立てやしゃもじを置く  皿や茶碗等が無くても、しゃもじ単体でテーブルの上等に簡単にしかも衛生的にしゃもじを置く事が出来る。
【図面の簡単な説明】
【００１１】
【図１】  本発明のどこにでも置けるしゃもじの一例を示す平面図である。
【図２】  本発明のどこにでも置けるしゃもじの一例を示す側面図である。
【符号の説明】
１  しゃもじ    ２  ご飯を掬う部分    ３  柄部分    ４  突起部分    ５  表側    ６  裏側    ７  テーブル    ８  柄の表側接地部分    ９  境目
【図１】
2009000481.tif 000003
【図２】
2009000481.tif 000004
(57)【要約】【課題】    買い物時等に手提げ袋に変形するハンカチを提供する。【解決手段】  布の周囲を袋状に縫い合わせ、かつ４つの角に開口部を設け、その中にひもを通して、その４つの開口部よりひもを引き出すことにより、手提げ袋に変形することを特徴とするハンカチ。【選択図】図１
2009000491.tif 000002
【特許請求の範囲】
【請求項１】
布の周囲を筒状に縫い合わせ、かつ４つの角に開口部を設け、その中にひもを通して、その４つの開口部よりひもを引き出すことにより、手提げ袋に変形することを特徴とするハンカチ。
【発明の詳細な説明】
【技術分野】
【０００１】  本発明は、必要なときに手提げ袋に変形するハンカチに関するものである。
【背景技術】
【０００２】  従来、手や顔等を拭くためのハンカチとは別に買い物等に手提げ袋を所持していた。
【発明の開示】
【発明が解決しようとする課題】
【０００３】  そのために、次のような問題点があった。
例えば商店で品物を購入した際、レジ袋を辞退するためには、ハンカチとは別に買い物用の手提げ袋を持参する必要があった。
本発明は以上の問題点を解決しようとするものである。
【課題を解決するための手段】
【０００４】  布の周囲を筒状に縫い合わせ、かつその４つの角に開口部を設ける。その中にひもを通して、その４つの開口部よりひもを引き出すことにより、手提げ袋に変形する。以上を特徴とするハンカチである。
【発明の効果】
【０００５】  本発明は、例えばちょっとした買い物に行く時に手提げ袋を持参しなくても、服のポケットの中に普段通りに１枚のハンカチが入っているだけでそれが手提げ袋に変わるため、レジ袋を辞退することができる。したがって、商店に行く度にいちいち買い物用手提げ袋を持参するわずらわしさがない。
【発明を実施するための最良の形態】
【０００６】  以下、本発明の実施の形態を説明する。
（イ）一枚の布（１）の周囲を折り返して筒状になるように縫い合わせ筒状縫い合わせ部（４）を形成する。
（ロ）筒状になった４つの角の部分に開口部（３）を設ける。
（ハ）周囲の筒状になった部分の中にはひも（２）を通す。
（ニ）対向する２辺の中央部には布（１）とひも（２）の縫い合わせ部（５）を形成する。
本発明は、以上の構成よりなっている。
本発明を手提げ袋として使用するときは、布（１）の４つの角の開口部（３）よりひも（２）をひきだして、品物（Ｍ）を入れた後、対角線上にある２本のひも（２）の輪の中へ隣の２本のひも（２）をそれぞれくぐらせる。くぐらせた方の２本のひも（２）が手提げ用のひもになる。
もとのハンカチに戻すときはそのまま布（１）のふちを指でつまんで伸ばす。対向する２辺の中央で布（１）とひも（２）が縫い合わされているため比較的容易にもとのハンカチに戻すことができる。
【図面の簡単な説明】
【０００７】
【図１】本発明の平面図
【図２】本発明の分解斜視図
【図３】本発明の使用状態を示す斜視図
【符号の説明】
【０００８】    １  布
２  ひも
３  開口部
４  筒状縫い合わせ部
５  縫い合わせ部
Ｍ  品物
【図１】
2009000491.tif 000003
【図２】
2009000491.tif 000004
【図３】
2009000491.tif 000005
(57)【要約】      （修正有）【課題】従来は、直火式及び電気式でもサンド式なので気軽にワッフルを作る気にはならなかったし、失敗も多い、面倒でもあった。しかし、フライパンであるため気軽に、ホットケーキや目玉焼きを焼くかのように、ワッフルを焼くことができるようにする。【解決手段】フライパンに格子状の溝を付けたものでワッフルを２枚焼けるようなフライパンにする。【選択図】図１
2009000460.tif 000002
【特許請求の範囲】
【請求項１】
フライパンに格子状の溝を付ける。
【請求項２】
ワッフルが１つのフライパンで、一度に２枚焼けるようにする。
【発明の詳細な説明】
【技術分野】
【０００１】  本発明は、フライパンでワッフル型の焼き型をつけるものである。
【背景技術】
【０００２】  ワッフルメーカーは、直火式でも、電気式の両方ともワッフルのミックスを流し込みサンドする器具である。
【発明の開示】
【発明が解決しようとする課題】
【０００３】  ワッフルメーカーの直火式では、サンドしているため、片側が焼けたらひっくり返さなくてはならないが、その前に焼けたかどうかの確認をしなければならない。そのためには、格子型の溝にひっついたミックスを竹串などでちょっとはがすのだが、ぴったりと、くっついてなかなか見るのが難しい。なんとか確認し、ひっくり返し、もう片側を焼きワッフルメーカーからワッフルを取ろうとしても、片側ずつ分離したり、きれいにとれなかったりする。また、直火式なので、こげたりすることもよくある。またミックスを入れすぎると、メーカーからはみ出したりする。、電気式だと、直火式のような失敗はないにしても、コード式なので使用頻度が極端に少なくなる。洗うのもフライパンや鍋のように簡単ではないので、扱いに注意しなければならない。ホットプレートのような家族団らんの食事ではないため、ほとんど使われなくなってしまう。
本発明は、以上の問題点を解決する非常に便利なものである。
【課題を解決するための手段】
【０００４】  フライパンにワッフルの格子型の溝を作る。そうすれば、片面だけでも、格子型になり、ワッフルとなる。
本発明は、ホットケーキを焼くかのようにワッフルを作れるフライパンである。
【発明の効果】
【０００５】  本発明は、フライパンであるので、従来のサンド式のように失敗もしないし、面倒でもない。ワッフルだけではなく、肉や野菜、卵等も格子状にしておしゃれな一品に瞬く間に変えてしまう優れものである。フライパンなので、洗うのも、簡単であるし、コードもないので他の鍋やフライパンといっしょに台所に収納できる。片側だけのワッフルで不満なら、２枚焼けるしくみなので、サンドしてもいいし、ジャパニーズワッフルのように、片側だけ格子状がついているので、中に何かお好みの具材を入れてクレープのように食べてもおしゃれになる。
【発明を実施するための最良の形態】
【０００６】  以下、本発明の実施の形態を説明する。
（イ）フライパンに格子状の溝をつける。
（ロ）ワッフルが２枚焼けるように格子型を２つ設け、各々のミックスが流れ込まないように、中央は、少し広く間隔をとる。
【図面の簡単な説明】
【０００７】
【図１】  本発明の平面図
【図１】
2009000460.tif 000003